Podtech/llm-jp-corpus-v4-ja_patent huggingface dataset:
(57)【要約】      （修正有）【課題】これまで平面部の平滑度と透明度とを維持した成形品を得る事が困難とされていた、真空成形におけるシ−ト状のオレフィン系樹脂成形において、成形する金型構造を見直し、使用する材料又は加工方法を改善し、従来よりも優れた平滑度と透明度とを維持した成形品の製造ができる金型を提供する。【解決手段】キャビティ−の平面に成形する部分を通気性の良い多孔質材料に置き換えて作製する事により、飛躍的に改善された成形品の製造をする事のできる金型の作製を可能とした。【選択図】なし【特許請求の範囲】
【請求項１】
本発明は、真空成形において、これまで平面部の平滑度と透明度とを維持した成形品を得る事が困難であった、オレフィン系樹脂の成形改善を成し得た金型構造に関するもので、キャビティ−の平面に成形する部分を通気性の良い多孔質の材料で作製した別部品に置き換える事により、飛躍的に改善された成形品の製造を可能とさせたものであり、本発明を、多孔質材を使用したオレフィン系樹脂の高品質成形金型、として特許権利の取得をしたく申請します。
【発明の詳細な説明】
【技術分野】
【０００１】  食品容器などの形状に加工したキャビティ−と称呼される部品の表面に、熱をかけて柔らかくしたシ−ト状の熱可塑性樹脂を密着させる事で、キャビティ−の形状に再現した成形品を製造する真空成形においての金型に関する技術である。
【背景技術】
【０００２】  熱可塑性樹脂の内オレフィン系に分類されるものは、射出流動性が良いと表現されるように、他に比べ加熱による分子の運動量が大きく軟化の早い樹脂であるが、真空成形においては、成形時の熱変形が大きい事で成形品に歪みが起き易く、又熱保持率が高い事より成形後に歪みが増大される効果があり、この歪んだ部分は分子の整列現象による曇りが生じ、成品の透明度に悪影響するなどの理由から、成形の難しい樹脂と評価される。【０００３】  キャビティ−には、大気圧を利用してシ−トを密着させるために真空孔と呼ばれる吸気又は排気のための、極細径の貫通穴が多数箇所に加工されているが、オレフィン系樹脂のシ−トはキャビティ−に密着する過程で、真空孔で吸気又は排気をし切る手前のエア−溜りを成品形状として再現してしまう傾向があり、これがこの樹脂の持つ特徴である熱変形の大きさと繋がって悪影響し、特に成形品の平面部分に波打ち状の歪を発生させ、平滑度が悪く透明度の悪い曇りがちな成品が製造されていた。
【発明の開示】
【発明が解決しようとする課題】
【０００４】  以上迄に記した内容を詳細にまとめ、以下に解決すべき課題を記す。【０００５】  食品容器などの形状に削り出し、又は形状を削り込んだ加工品に吸気もしくは排気を目的として、真空孔と呼ぶ極細径の貫通穴を多数箇所に加工したキャビティ−と称呼する部品に、熱をかけて柔らかくしたシ−ト状の熱可塑性樹脂を、大気圧をかけて密着させ、キャビティ−の形状に再現した成形品を製造する真空成形と呼ばれる成形方法において、これまで平面部の平滑度と透明度とを維持した成形品を得る事が困難であったオレフィン系樹脂の成形をするための金型の改善に取り組み、成形時のエア−溜りと熱変形による歪みを解消し、特に平面部分の平滑度を向上させた透明度の高い成形品を製造する金型の作製方法を確立する事が今件の課題である。
【課題を解決するための手段】
【０００６】  キャビティ−（１）の平面に成形する部分の材料を、通気性の良い多孔質材料（２）に置き換えて作製する事で、従来のキャビティ−に比し、広範囲に圧倒的均等な大気圧をかけられる事が可能となり、これにより、エア−溜りと熱変形によって歪む成形品平面部分の波打ちが解消された。
【発明の効果】
【０００７】  成形品の歪みが解消された事で、成形品の美観が向上するのは勿論であり、特に成形品が食品容器に使用される場合には、透明度が向上する事で充填物が鮮明に見易くなるという最大の効果を得る。【０００８】  オレフィン系樹脂は通常、残留熱による成形後の成品の歪みを抑えるため比較的低温での成形が行なわれるが、通気性の良い多孔質材を使用したキャビティ−においての成形は、成形時にシ−トがキャビティ−に密着する度合いが高い事で成形品の冷却効率が良く、従来よりも高温での成形が可能となり、キャビティ−の細部形状の転写率を向上させる事となった。
【発明を実施するための最良の形態】
【０００９】  厚みの大きいキャビティ−を作製する場合、厚みが増す毎に通常の圧延材にくらべ冷却効率が悪くなるという、通気性の良さが災いする多孔質材料の特徴を鑑み、使用に値する有効な厚みの範囲を見極め、効率の良い冷却回路を配置した金型を作製する事。
【実施例】  通常の圧延材で作製したキャビティ−（１）と、平面に成形する部分を通気性の良い多孔質材で作製した中子（２）とに分割して作製したものを組み合わせて一体のキャビティ−として作製する事で、従来の成形品（３）の平面部の波打が解消された成形品（４）の製造が可能となる。
【図面の簡単な説明】
【００１０】
【図１】圧延材で作製したキャビティ−の部分。
【図２】多孔質材で作製した、成品の平面部を成形する中子。
【図３】キャビティ−と中子を組み合わせた状態。
【図４】従来の平面部分が波打った成品。
【図５】平面部を多孔質材で作製したキャビティ−で成形し、平面部の歪みが解消された成品。
【符号の説明】
【００１１】１  圧延材で作製した部分のキャビティ−。
２  多孔質材で作成した中子。
３  従来の平面部分が波打った状態の成形品。
４  平面部を多孔質材で作製したキャビティ−で成形した成品。
【図１】
2010184488.tif 000002
【図２】
2010184488.tif 000003
【図３】
2010184488.tif 000004
【図４】
2010184488.tif 000005
【図５】
2010184488.tif 000006
(57)【要約】【課題】  既成の靴は長さ、幅を決め、また靴底の厚さは内側と外側の横断面では均一でつま先と踵の縦断面は一部踵の部分がつま先より厚くなっているか、又は均一に出来ています。しかし足の形は個人個人異なるため、平面な靴内面の靴底と靴側壁の間に隙間が生じます。また歩いたり、走ったり、とび跳ねたりした場合は、足が変形します。このことをすべて考慮した隙間のない靴を作れば、歩行時、運動時に体に対して負担がなくより快適に使用できます。【解決手段】靴との隙間を人体と同程度の弾性があるキャタリストを混ぜたゴム質弾性シリコーンペーストを置き、歩いたり、走ったり、とび跳ねたりすると、その時の動的な状態がゴム質弾性シリコーンに記録されます。時間がたつと化学反応が進みその型で安定します。この状態で靴の使用も可能です。また靴内部の状態を足の動的な型として利用できます。【選択図】  図１
2010184020.tif 000002
【特許請求の範囲】
【請求項１】
静止状態でなく足が十分に活動している動的な状態で靴の内部の隙間に、足と同じ弾性をもったゴム質弾性シリコーンを挿入し、そのゴム質弾性シリコーンの化学反応が終了するまでの短い時間に、動的で、立体的な型をとる方法。
【請求項２】
静止状態でなく足が十分に活動している動的な状態で靴の内部の隙間に、足と同じ弾性をもったゴム質弾性シリコーンを挿入し、そのゴム質弾性シリコーンの化学反応が終了するまでの短い時間に、動的で、立体的な型をとる方法で型とりされたゴム質弾性シリコーンが固着した靴。
【請求項３】
静止状態でなく足が十分に活動している動的な状態で靴の内部の隙間に、足と同じ弾性をもったゴム質弾性シリコーンを挿入し、そのゴム質弾性シリコーンの化学反応が終了するまでの短い時間に、動的で、立体的な型をとる方法で型とりされたゴム質弾性シリコーンが固着した靴の内部に流動性の物質を流し込み、硬化後足型として新たに靴を作る方法。
【発明の詳細な説明】
【技術分野】
【０００１】
本発明は製造の複雑化やコスト高を招来することなく、足と靴との隙間を補填できる事に関する。
【背景技術】
【０００２】
以前よりオーダーメイドの靴またはインソールはありますが、ほとんどが足の静的な状態または簡単に歩行した状態を平面的に考慮するものだけです。そのようなものであっても靴と同程度の費用がかかり、また日数もかかることからほとんど普及していません。
【発明の概要】
【発明が解決しようとする課題】
【０００３】
以上に述べた従来のオーダーメイドの靴またはインソールは標準的な足にはある程度有効ですが、靴底，インソールは扁平な形状のため、体重が足裏全体に均一にかからないため、足、関節、筋肉などに偏った力が加わり、疲れやすく、全身的な悪影響を生じることもあります。特に長時間はく場合やスポーツなど長時間強い力が足に加わる場合はなおさらです。
【課題を解決するための手段】
【０００４】
靴の内部の隙間に、人体と同程度の弾性があるキャタリストを混ぜたゴム質弾性シリコーンペーストを混ぜ合わせて足と靴との隙間に置き、靴下をはき、その部分には薄いビニール、ラップなどを置き、歩いたり、走ったり、とび跳ねたりすると、そのゴム質弾性シリコーンの化学反応が終了するまでの短い時間に足の動的な、立体的な型を取る方法。
【０００５】
上記方法で型取りされた靴。この材料は靴の内部の凹凸に機械的な結合をしますので、剥がれたりしません。また強くひっぱれば剥がれ、何回もやり直す事ができます。この材料は人体に無害で、耐久力があり、温度対して変化しません。そのためこの靴はこの状態で使用可能です。
【０００６】
上記方法で型取りされたゴム質弾性シリコーンが固着した靴の内部に流動性の物質を流し込み、硬化後足型として新たに注文靴を作る方法。
【発明の効果】
【０００７】
靴の内部のつま先、踵、足の側面の隙間が単になくなるだけでなく、たとえば今までの既成の靴の場合、O脚の人は靴の踵の外側部分がすり減りますが、靴内部の内側の空隙をこのゴム質弾性シリコーンが立体的に埋めるので、踵の減りは均一になります。そのため関節、筋肉などに偏った影響はなくなります。足と一体化するためにスポーツなどのパーホーマンスが向上します。また足裏にある経絡のつぼをすべて均一に刺激することができます。
【図面の簡単な説明】
【０００８】
【図１】O脚の踵の横断面
【図２】図１におけるA−A線に沿った断面図
【実施例】
【０００９】
以下、本発明の実施の形態を図面に基づいて説明する。
【００１０】
図１は、本発明による一実施例のO脚の踵の横断面で靴の内側に隙間ができ、この部分にゴム質弾性シリコーンを補填する。
【００１１】
図２は、本発明による一実施例の図１におけるA−A線に沿った断面図で靴の内側に隙間ができ、この部分にゴム質弾性シリコーンを補填する。
【符号の説明】
【００１２】
１  踵
２  靴
３  隙間
４  足
【図１】
2010184020.tif 000003
【図２】
2010184020.tif 000004
(57)【要約】【課題】  マスクの需要は増大の傾向にあるが、白や無地のマスクのみで、種類や機能では日々改良されてはいるが、特に若い男女の方は苦手な人が多い。  白マスクは衛生面で医療関係での使用と、病のイメージが強く暗いと感じさせる。  それらを払拭するために、楽しく利用範囲が広がるマスクを提供する。【解決手段】  風邪を引いた病も方、花粉症の方そして予防の為に装着する方もマスクは子どもから大人又、男女を問わず同じタイプである。それらを改善するには、使用者がマスク形態をそのまま利用し、マスクの正面に好きな絵や、文字、キャラクタ等のシ−ルを貼り作る、絵や文字シールの組み合わせは多種多様である、オリジナルマスクで楽しく意匠性を高める。  又、マスクを綺麗なカラーにする事で、病などの暗いイメージを払拭し、その日の服装や目的に合わせて装着し、ファション性のあるマスクある。【選択図】図１
2010184095.tif 000002
【特許請求の範囲】
【請求項１】
マスクにおいて、現在市販されている又、今後も製造販売される、白や無地のマスクに、同じく現在市販されるマスクに適した不織布シールや、各種のシールを使用者がマスクの表面に貼る事で、新たな楽しいオリジナルマスクが出来上がる、シールの数は多種多様である、絵と文字シールと組み合わせ自由で意匠性が高い、病などの暗いイメージを無くし、シールで生まれ変わる楽しくなることを特徴としたオリジナルのマスクの改良。
【請求項２】
マスクにおいて、マスクは、１６色を使用して染める為、季節に合わせて使用出来る、又、ドット（水玉模様）、ボーダー、チェック柄等に染めて加えて、範囲を広める事で、特に若い男女に敬遠されていた、マスクをカラー色にする事で、ファション性があり悪い病のイメージが薄れ、その日の服装や目的に合わせて使用する方が増加、今までのマスクが苦手だった方も使用する、それにより大事な予防にも結びつきファション性を高められることを特徴としたマスクの改良。
【発明の詳細な説明】
【技術分野】
【０００１】  本発明は現在販売されている。又は、今後も製造販売される白や無地のマスクに、同じく販売されるマスクに適した不織布シールや、各種のシールを使用者が、マスクの表面にシールを貼ることで、白いマスク等を模様替えし、オリジナルマスクが完成し、意匠性を高め、また、カラーのマスクの色は、１６色を使い、ドット（水玉模様）、ボーダー、チェック柄等も揃えることで、使用者は季節に合わせて好みのマスクが選べ、医療、衛生マスクだけの使用だけではなく、カラーマスクはファション性を高める効果がある、マスクの改良に関するものである。
【背景技術】
【０００２】  従来のマスクは、医療関係以外の方も、使用する方誰もが同じ白や無地のマスクを装着し、変化がなく素材がやや硬い等と感じられ、特に若い女性の方や、学生の方は使用することを控えていた。
【先行技術文献】
【０００３】
【特許文献１】  特開  ２００４−１８１１８０号公報
【特許文献２】  登録実用新案第２００２−３０８９１６８号
【発明の概要】
【発明が解決しようとする課題】
【０００４】  マスクの需要は増大の傾向にあるが、白や無地のマスクのみで、種類や機能面では日々改良されてはいるが、特に若い男女の方は苦手な人が多い。
白マスクは衛生面で医療関係での使用と、病のイメージが強く暗いと感じさせる。
それらを払拭するために、楽しく利用範囲が広がる、マスク改良を発明した。
本発明は以上の問題点を解決するものである。
【課題を解決するための手段】
【０００５】  風邪を引いた病の方も、花粉症の方そして予防の為に装着する方も、マスクは子どもから大人、又、男女を問わず同じタイプである。
それらを改善するには、使用者がマスクの形態をそのまま利用し、マスクの表面に、好きな絵や、文字、キャラクタ等のシールを貼り作る。
絵や文字のカラーシールの組み合わせは、多種多様である。
オリジナルマスクで楽しく意匠性を高める。
又、綺麗なカラーのマスクは、病などの暗いイメージを払拭し、その日の服装や目的に合わせて装着し、ファション性のあるマスクである。
以上のように構成されたマスクである。
【発明の効果】
【０００６】  誰もが白や無地のマスクではなく、可愛い、綺麗、楽しい、そして求めやすいと、女子中学生、高校生から始まり、マスク改良してオリジナル案に喜びを得るなど意匠性が高く、又、カラーのマスクは日々の服装に対応出来る事で広く使用される。
又、病の時だけではなく、楽しい、綺麗なら今までマスク嫌いだった方も使用し需要の拡大にもなりインフルエンザ等の予防にも繋がる。
【図面の簡単な説明】
【０００７】
【図１】装飾したマスクを正面から見た説明図である。
【図２】装飾したマスクを装着するため広げて正面から見た説明図である。
【図３】ドット柄（水玉）に７色を使い染めて使用例を示した、マスクを正面から見た説明図である。
【発明を実施するための形態】
【０００８】  以下、本発明の実施の形態を説明する。
改良には、使用者が作り楽しむオリジナルマスクは、シールの数と、美しさ面白さを求める。
又、カラーマスクは上着や、マフラー等に合わせてファション性を出すために、カラーのマスクは１６色使う。
又、ドット（水玉模様）図（３）、ボーダー、チェック柄等でカラー色の範囲を広める事により、春夏用、秋冬用と好みのマスクが使用出来る。
【実施例】  カラーの１６色は、下記の通りである。
赤、だいだい、ピンク、黄、緑、黄緑、青、空、紫、茶、グレー、黒、ぼたん、ベージュ、藤、桜色である。
シールの種類は下記の通りです。
文字シールは（数字、カタカナ、漢字、ひらがな、アルファベット、ローマ字）等の一文字シールから、（こんにちわ、サンキュウ、ＯＫ）等の単語シールである。
絵文字シールは（キャラクタ、トランプ、星、天気予報、音符、花、動物、目、鼻、眉毛、笑った口他である。
ここに記載したシールほんの一部に過ぎず、上記の格シールの組み合わせが楽しめる。
白の不織布マスク（１）表面に黄色の不織布ライオンの親子動物シール４枚（２）虹色のカタカナ文字の紙シール（３）である。
同じマスク（１）表面に薄いプラスチック製フルーツの香りがするピンク色のハートと羽のシール（４）黄色とブルーのカタカナシール（５）を貼り装着時の広げた場合のマスクである。
白の生地をドット柄（水玉模様）に、７色（虹色）使い染めて、使用例を示した表面から見たマスク（６）耳かけ紐（７）である。
【符号の説明】
【０００９】１  白不織布マスク
２  ふわふわ不織布動物カラーシール
３  紙のカラーカタカナシール
４  フルーツの香りのプラスチック製ハートマークと羽のカラーシール
５  プラスチック製カタカナカラーシール
６  ドット柄（水玉模様）７色（虹色）に染め使用例を示したマスク
７  耳かけ紐
【図１】
2010184095.tif 000003
【図２】
2010184095.tif 000004
【図３】
2010184095.tif 000005
(57)【要約】【課題】傘掛けを容易にする為のゴム製の補助具【解決手段】筒状で片側を斜めにしたゴム製の補助具を、傘の柄の先端に付けて、傘掛けを容易にしようとする物である。【選択図】図１
2010184099.tif 000002
【特許請求の範囲】
【請求項１】
傘の柄の先端に付ける滑り止め用ゴム
【発明の詳細な説明】
【技術分野】
【０００１】  本発明は、傘を掛けることを容易にする為の補助具である。
【背景技術】
【０００２】  一般に使われているＵの字形した柄の傘は、電車の窓の僅かな幅の所や、テーブルにはすべって、掛けれないことが多い。
【発明が解決しようとする課題】
そのため、次のような問題点があった。
（イ）柄の先端がすべり安い。
（ロ）柄が太い。
（ハ）現在所有している傘の柄を変更できない。
【課題を解決するための手段】
【０００４】  傘の柄の先端に、筒型に成型され傘の柄が差し込めるようにし他方を斜めしたゴム製の補助具を発明した。
【発明の効果】
【０００５】  本発明は、Ｕ字形の傘の柄の先端に容易に取り付けられ、先端が細くなっているので、僅かな幅の箇所にも、傘を掛けられる。また、テーブルなど滑り易いところでも、ゴムの為、すべることがなく、傘を掛けられる。
【発明を実施するための最良の形態】
【０００６】以下、本発明の実施の形態を説明する。
（イ）筒状のゴムで、一方は、傘の柄が差し込める内径の穴がある。
（ロ）筒状の他面は、斜めの傾斜になって、先端の幅が狭い。
本発明は、以上の構成よりなっている。
本発明を使用するときには、傘の柄の先端に、本発明を差込み、斜めになっている面を内側にしてとりつける。
傘を掛けるとき、本発明の先端が狭く、僅かな幅にも掛けられる。また、テーブルに掛けたときには、ゴムの斜めの面の摩擦力で、すべり落ちることがない。
【図面の簡単な説明】
【０００７】
【図１】  本発明の図
【図２】  本発明の取り付け図
【図３】  本発明の使用例
【図４】  本発明の使用例
【符号の説明】
【０００８】  ▲１▼  本体筒状
▲２▼  本体傘の柄を入れる穴
▲３▼  斜めにカットした面
【図１】
2010184099.tif 000003
【図２】
2010184099.tif 000004
【図３】
2010184099.tif 000005
【図４】
2010184099.tif 000006
(57)【要約】【課題】  簡単な構造で製作コストが低く、家庭における要介護者の入浴の介護を容易にする介護装置を提供する。【解決手段】  部屋の境界近傍に設けられた回転軸７にストレッチャー４を取り付ける。要介護者を載せたストレッチャー４を、回転軸７を中心として回動させることにより、境界を共有する二つの部屋の間を、簡単に要介護者を移動できる。また、ストレッチャー４の上面にストレッチャー４の幅方向に移動可能なスライダー５を設けることで、さらに利便性を向上できる。【選択図】図１
2010184097.tif 000002
【特許請求の範囲】
【請求項１】
部屋の境界近傍に設置されてなる回転軸に取り付けられたストレッチャーであって、前記回転軸を中心とした回動により、前記境界を共有する二つの部屋の間を、要介護者を搬送し得ることを特徴とするストレッチャー。
【請求項２】
前記ストレッチャーの上面に、前記ストレッチャーの幅方向に移動し得るスライダーが取り付けられてなることを特徴とする、請求項１に記載のストレッチャー。
【発明の詳細な説明】
【技術分野】
【０００１】  本発明は、自力での歩行などの動作が困難な要介護者を移動するストレッチャーに関し、特に隣接する部屋の間の移動に適したストレッチャーに関するものである。
【背景技術】
【０００２】  近年の高齢化社会の進行に伴い、介護が必要な高齢者が増加し、特に「寝たきり」の高齢者の介護においては、介護者の負担、特に入浴の際の介護の身体的な負担が大きい。これに対処するためのいわゆる介護用品が実用化されている。【０００３】  例えば特許文献１には、高齢者又は障害者を椅子に座ったまま、移動できる介護用移動カートが開示されている。また、特許文献２には、要介護者を入浴させることができる浴槽付き車椅子が開示されている。しかしながら、これらの装置は、比較的大きな病院や介護施設で用いるには適しているが、大掛かりなため、家庭での介護には、必ずしも適してはない。
【先行技術文献】
【特許文献】
【０００４】
【特許文献１】  特開２００８−２２０８９３号公報
【特許文献２】  特開２００９−０２２８１３号公報
【発明の概要】
【発明が解決しようとする課題】
【０００５】  従って、本発明の課題は、簡単な構造で製作コストが低く、家庭における要介護者の入浴の介護を容易にする介護装置を提供することである。
【課題を解決するための手段】
【０００６】  本発明は前記の課題に鑑み、要介護者を隣接する部屋の間で移動する機能に限定することで、家庭での使用に適した簡単な構造の介護補助装置を提供することを検討した結果なされたものである。【０００７】  即ち、本発明は、部屋の境界近傍に設置されてなる回転軸に取り付けられたストレッチャーであって、前記回転軸を中心とした回動により、前記境界を共有する二つの部屋の間を、要介護者を搬送し得ることを特徴とするストレッチャーである。【０００８】  また、本発明は、前記ストレッチャーの上面に、前記ストレッチャーの幅方向に移動し得るスライダーが取り付けられてなることを特徴とする、前記のストレッチャーである。
【発明の効果】
【０００９】  本発明のストレッチャーは、部屋の境界近傍に設置した回転軸を介して、隣接する部屋の間で回動可能なだけの簡単な構造なので、製作コストを低く抑えることができる。また、ストレッチャーの上面には、ストレッチャーの幅方向に移動可能なスライダーを設けることができるので、本発明のストレッチャーを、例えば寝室と浴室の間に設置することで、要介護者をベッドから移動したり、浴槽に移動したりすることが容易になる。【００１０】  これによって、要介護者及び介護者の双方の負担を軽減することができるので、今後好むと好まざるとに関わらず招来される高齢化社会に寄与するところは、大きいと考えられる。
【図面の簡単な説明】
【００１１】
【図１】  本発明に係るストレッチャーを寝室と浴室の間に設置した例を示す図、図１（ａ）は平面図、図１（ｂ）は正面図。
【発明を実施するための形態】
【００１２】  次に本発明の実施の形態について、具体的な図に基づいて説明する。
【００１３】  図１は、本発明に係るストレッチャーを寝室と浴室の間に設置した例を示す図で、図１（ａ）は平面図、図１（ｂ）は正面図である。図１において、１は給水給湯用蛇口、２は浴槽、３は手摺、４はストレッチャー、５はスライダー、６はストレッチャー取り付けアーム、７は回転軸、８はベッド、９は浴室、１０は寝室である。
【００１４】  図１に示したように、ストレッチャー４は、浴室９と寝室１０との間に設置された回転軸７を介して回動可能である。また、スライダー５は、ストレッチャー４の幅方向に設けられたガイド溝やガイドレール（図示せず）に取り付けられ、スライダー５の下面とストレッチャー４の上面の間隙にローラーなどの摩擦を低減する部品が設けられた構造となっていて、要介護者が滑り落ちないようにするためのベルトを設けることもできる。
【００１５】  例えば要介護者を、ベッド８からストレッチャー４に移動する際に、スライダー５を可能な限りベッド８に近づけておけば、その分だけ要介護者及び介護者の負担を軽減することができる。また、アーム６に伸縮を可能とする構造を付与したり、回転軸の高さを変えることが可能な構造を付与したりすることで、本発明のストレッチャーの利便性をより拡充することができる。
【００１６】  以上に説明したように、本発明によれば、隣接する部屋の間で、要介護者を移動可能なストレッチャーを提供できる。なお、本発明は前記実施の形態に限定されるものではなく、本技術分野における通常の知識を有する者が想到し得る変形、修正、例えば回転軸の下部にキャスターと固定手段を取り付けて、他の場所でも使用可能とすることなどが、本発明に含まれることは論を俟たない。
【符号の説明】
【００１７】  １  給水給湯用蛇口
２  浴槽
３  手摺
４  ストレッチャー
５  スライダー
６  ストレッチャー取り付けアーム
７  回転軸
８  ベッド
９  浴室
１０  寝室
【図１】
2010184097.tif 000003
(57)【要約】【課題】掃除機用取り替えパックは、使用後廃棄されるが再利用できる洗える開閉装置付ゴミパックを提供する。【解決手段】洗える取付台紙（１）と洗える掃除機用ゴミ取り替えパック（２）を一体化し、一端に洗える開閉装置（３）を設けた洗える開閉装置付ゴミパックを特徴とする。【選択図】図１
2010184106.tif 000002
【特許請求の範囲】
【請求項１】
洗える取付台紙（１）と洗える掃除機用ゴミ取り替えパック（２）を一体化し、一端に洗える開閉装置（３）を設けた再利用できる洗える開閉装置付ゴミパック。
【発明の詳細な説明】
【技術分野】
【０００１】この発明は、掃除機用ゴミパックの一端に開閉装置を設けた洗える掃除機用開閉装置付ゴミパックに関するものである。
【背景技術】
【０００２】従来，掃除機用ゴミ取り替えパックは使用後廃棄されていた。
【発明の開示】
【発明が解決しようとする課題】
【０００３】これは，次のような欠点があった。
従来，掃除機用ゴミ取り替えパックは，使用後廃棄されていた。
本発明は，以上のような欠点をなくすためになされたものである。
【課題を解決するための手段】
【０００４】洗える合成紙製取付台紙（１）と洗える不織布製掃除機用ゴミ取り替えパック（２）を一体化し、一端に洗えるポリエステル、亜鉛ダイキャスト製開閉装置（ファスナー）（３）を設ける。
開閉装置を開きゴミを廃棄する。
その後，開閉装置付ゴミパックを洗い、乾燥させ、開閉装置を閉め掃除機に再装着する。
本発明は，以上の構成よりなる、洗える掃除機用開閉装置付ゴミパックである。
【発明の効果】
【０００５】ゴミパックに開閉装置がついているので再利用が可能であり，洗うことでゴミパックが清潔になり、吸引力が回復する。又ゴミが減量でき経済的である。
【発明実施するための最良形態】
【０００６】以下本発明を実施するための最良の形態について説明する。
掃除機用ゴミ取り替えパックの洗える合成紙製取付台紙（１）と洗える不織布製ゴミパック（２），洗えるポリエステル、亜鉛ダイキャスト製開閉装置（フファスナー）（３）をそれぞれ強力瞬間接着剤で装着する。
本発明は、以上なような構造である。
これを使用するときは，洗える掃除機用開閉装置付ゴミパックを掃除機に装着する。使用後，掃除機からパックを取り出し，開閉装置を開きゴミを廃棄する。
その後、開閉装置付きゴミパックを洗い、乾燥させ、開閉装置を閉め掃除機に再装着する。
他の洗える取付台紙として、プラスチック製がある。
他の洗えるゴミパックとして、プラスチック製、布製がある
他の洗える開閉装置として、金属製，布製，プラッスチック製各ファスナー，板状磁石，ヒモ状，両面，片面粘着テープの開閉装置がある。
【図面の簡単な説明】
【０００７】
【図１】本発明の斜視図である。
【符号の説明】
【０００８】１  洗える取付台紙
２  洗える掃除機用ゴミパック
３  洗える開閉装置
【図１】
2010184106.tif 000003
(57)【要約】      （修正有）【課題】比較的安定で取り扱いが容易な原料から酢酸化合物を製造し得る方法を提供する。【解決手段】酢酸化合物（１）の製造方法は、2010184904.tif 000006〔式中、Ｒはアルキル基を示す。〕アルキルベンジルシアニド（２）2010184904.tif 000007〔式中、Ｒは前記と同じ意味を示す。〕を硫酸の存在下に水と反応させることを特徴とする。アルキルベンジルシアニド（２）に対して、硫酸の使用量は１〜２モル倍であり、水の使用量は０．５〜２質量倍であり、８０〜１５０℃で反応させる。【選択図】なし【特許請求の範囲】
【請求項１】
式（２）
2010184904.tif 000004
〔式中、Ｒはアルキル基を示す。〕
で示されるアルキルベンジルシアニドを硫酸の存在下に水と反応させることを特徴とする
式（１）
2010184904.tif 000005
〔式中、Ｒは前記と同じ意味を示す。〕
で示される酢酸化合物の製造方法。
【請求項２】
硫酸の使用量が前記アルキルベンジルシアニドに対して１モル倍〜２モル倍であり、水の
使用量が前記アルキルベンジルシアニドに対して０．５質量倍〜２質量倍である請求項１
に記載の製造方法。
【請求項３】
８０℃〜１５０℃で反応させる請求項１または請求項２に記載の製造方法。
【発明の詳細な説明】
【技術分野】
【０００１】
本発明は、酢酸化合物の製造方法に関し、詳しくは式（１）
2010184904.tif 000002
〔式中、Ｒはアルキル基を示す。〕
で示される酢酸化合物の製造方法に関する。
【背景技術】
【０００２】
式（１）で示される酢酸化合物は、農薬、医薬品などの中間体として有用であり、その製
造方法として特許文献１〔特開２０００−１９８７５６号公報〕には、フェニル金属化合
物をアミン類の存在下にキシレンと反応させ、得られたベンジル金属化合物を二酸化炭素
と反応させる方法が開示されている。
【０００３】
しかし、かかる従来の方法で原料として用いられるフェニル金属化合物は、不安定で、そ
の取り扱いが面倒であることから、比較的安定で取り扱いが容易な原料を用いて、上記酢
酸化合物（１）を製造し得る方法が求められていた。
【先行技術文献】
【特許文献】
【０００４】
【特許文献１】特開２０００−１９８７５６号公報
【発明の概要】
【発明が解決しようとする課題】
【０００５】
そこで本発明者は、比較的安定で取り扱いが容易な原料から上記酢酸化合物（１）を製造
し得る方法を開発するべく鋭意検討した結果、本発明に至った。
【課題を解決するための手段】
【０００６】
すなわち本発明は、式（２）
2010184904.tif 000003
〔式中、Ｒは前記と同じ意味を示す。〕
で示されるアルキルベンジルシアニドを硫酸の存在下に水と反応させることを特徴とする
前記式（１）で示される酢酸化合物の製造方法を提供するものである。
【発明の効果】
【０００７】
本発明の製造方法は、原料として式（２）で示されるアルキルベンジルシアニドを使用す
るので、比較的安定で、取り扱いも容易な原料から、目的の酢酸化合物（１）を製造する
ことができる。
【発明を実施するための形態】
【０００８】
本発明の製造方法で用いられるアルキルベンジルシアニドは、式（２）で示される化合物
である。式（２）における置換基Ｒはアルキル基である。かるアルキル基の炭素数は通常
１〜３であり、アルキル基として具体的にはメチル基、エチル基、プロピル基が挙げられ
る。置換基Ｒはオルト位であってもよいし、メタ位であってもよいし、パラ位であっても
よい。
【０００９】
かかるアルキルベンジルシアニド（２）としては、例えばｏ−メチルベンジルシアニド、
ｍ−メチルベンジルシアニド、ｐ−メチルベンジルシアニド、ｏ−エチルベンジルシアニ
ド、ｍ−エチルベンジルシアニド、ｐ−エチルベンジルシアニド、ｏ−プロピルベンジル
シアニド、ｍ−プロピルベンジルシアニド、ｐ−プロピルベンジルシアニドなどが挙げら
れる。
【００１０】
かかるアルキルベンジルシアニド（２）は、いずれも比較的安定であり、その工業的な入
手も容易である。
【００１１】
本発明の製造方法では、アルキルベンジルシアニド（２）を硫酸の存在下に水と反応させ
る。
【００１２】
硫酸〔Ｈ2ＳＯ4〕の使用量は、アルキルベンジルシアニド（２）に対して通常１モル倍〜２モル倍、好ましくは１．２モル倍〜１．８モル倍である。
【００１３】
水〔Ｈ2Ｏ〕は通常、溶媒量で使用され、その使用量は、具体的にはアルキルベンジルシ
アニド（２）に対して通常０．５質量倍〜２質量倍、好ましくは１質量倍〜１．５質量倍
である。
【００１４】
アルキルベンジルシアニド（２）を硫酸の存在下に水と反応させるには、アルキルベンジ
ルシアニド（２）、硫酸および水を混合すればよく、通常は硫酸および水の混合液中にア
ルキルベンジルシアニド（２）を添加すればよい。反応温度は通常８０℃〜１５０℃、好
ましくは９０℃〜１２０℃である。反応は大気圧下に行ってもよいし、加圧下に行っても
よい。反応時間は通常１時間〜１０時間、好ましくは４時間〜８時間である。
【００１５】
反応後、得られた反応混合物を冷却し、有機溶媒で抽出することにより、目的の式（１）
で示される酢酸化合物を得ることができる。抽出に使用される有機溶媒としては、例えば
トルエン、ｏ−キシレン、ｍ−キシレン、ｐ−キシレンおよびこれらの混合溶媒などが挙
げられる。抽出後の抽出液は、水洗してもよい。
【００１６】
抽出液を冷却することにより、酢酸化合物（１）を析出させ、析出した析出物を濾過する
方法により、固形分として酢酸化合物（１）を得ることもできる。
【００１７】
本発明の製造方法により得られる酢酸化合物（１）としては、例えばｏ−トリル酢酸、ｍ
−トリル酢酸、ｐ−トリル酢酸、ｏ−エチルフェニル酢酸、ｍ−エチルフェニル酢酸、ｐ
−エチルフェニル酢酸、ｏ−プロピルフェニル酢酸、ｍ−プロピルフェニル酢酸、ｐ−プ
ロピルフェニル酢酸などが挙げられる。
【実施例】
【００１８】
以下、実施例により本発明をより詳細に説明するが、本発明はかかる実施例により限定さ
れるものではない。
【００１９】
実施例１
硫酸〔Ｈ2ＳＯ4分５０質量％、水分５０質量％〕１５０ｇを９０℃に加熱し、撹拌下、同温度を維持しながら、ｏ−メチルベンジルシアニド６０ｇを滴下して加え、その後さらに撹拌しながら同温度を６時間維持して反応させた。
【００２０】
反応後の反応混合物を５０℃まで冷却し、同温度でキシレン（ｏ−キシレン、ｍ−キシレ
ンおよびｐ−キシレンの混合物）１００ｍＬ（１１６ｇ）を加え、３０分間攪拌した後、
分液して、抽出液を得、得られた抽出液を同温度で純水５０ｍＬにより水洗した。水洗後
の抽出液を２℃〜３℃まで冷却して析出物を析出させ、次いで濾過することにより析出物
を取り出し、乾燥して、ｏ−トリル酢酸（純度９５％）５３．１ｇを得た（収率７５％）
。なお、純度はガスクロマトグラフ法により面積百分率として求めた。
(57)【要約】【課題】従来の自在キャスターを利用した人力駆動の４輪車において、キャスターの一定方向回転止め装置は専用部品を製作する必要があり、コスト高である。また、専用部品であるラチェット機構のような構造は手工具などでも採用されており、それらは回転するときに音が出てうるさいものであった。本発明は、これらの問題を解決しようとするもので、お年寄りや子供のように力の弱い人でも容易に操作でき、動作が静かな人力駆動の４輪車を提供する。安いコストで製作が可能であり、また操作感も軽いことからお年寄りや子供、あるいは手足に多少の不自由のある人のリハビリ運動用としての利用も可能である。【解決手段】回転自在の前フレームに左、右前自在キャスターを備え、ハンドルを前後に動かして前進する自在キャスターを利用した人力駆動の４輪車において、左、右前自在キャスターのそれぞれに両方向回転角度を規制するストッパーを備えたものである。前フレーム左右両端に足乗せ台を形成したものである。【選択図】図１
2010184696.tif 000002
【特許請求の範囲】
【請求項１】
回転自在の前フレームに左、右前自在キャスターを備え、ハンドルを前後に動かして前進する４輪車において、左、右前自在キャスターのそれぞれの両方向回転角度を規制するストッパーを備えたことを特徴とする自在キャスターを利用した人力駆動の４輪車。
【請求項２】
前記前フレーム左右両端に足乗せ台を形成したことを特徴とする請求項１記載の自在キャスターを利用した人力駆動の４輪車。
【発明の詳細な説明】
【技術分野】
【０００１】  本発明は手もしくは足を利用し前進する４輪車に関する。
【背景技術】
【０００２】  ハンドルを手で前後に動かして、ハンドルが手前になった側のキャスターの一方向（前進方向）の回転を止めることにより前進するハンドカーというものがある（例えば特許文献１参照。）。【０００３】
【特許文献１】実開平２−１４９３９５号公報
【発明の開示】
【発明が解決しようとする課題】
【０００４】  従来のハンドカーの一定方向回転止め装置は専用部品を製作する必要があり、コスト高である。【０００５】  また、このラチェット機構である一定方向回転装置のような構造は手工具などでも採用されており、それらは回転するときに音が出てうるさいものである。さらに手だけで動かすため、操作に腕力を必要とする。
【課題を解決するための手段】
【０００６】  本発明の自在キャスターを利用した人力駆動の４輪車は、上記目的を達成するために、回転自在の前フレームに左、右前自在キャスターを備え、ハンドルを前後に動かして前進する４輪車において、左、右前自在キャスターのそれぞれの両方向回転角度を規制するストッパーを備えたものである。【０００７】  また、前記前フレーム左右両端に足乗せ台を形成したものである。
【発明の効果】
【０００８】  本発明は、これらの問題を解決しようとするもので、お年寄りや子供のように力の弱い人でも容易に操作でき、動作が静かな人力駆動の４輪車を提供することを目的とする。【０００９】  安いコストで製作が可能であり、また操作感も軽いことからお年寄りや子供、あるいは手足に多少の不自由のある人のリハビリ運動用としての利用も可能である。
【発明を実施するための最良の形態】
【００１０】  以下に本発明の実施形態を、図面を用いて説明する。
前フレーム２の左右両端に、それぞれ右前自在キャスター４及び左前自在キャスター５を取り付ける。【００１１】  前フレーム２には、それぞれ右前自在キャスター４と左前自在キャスター５の両方向回転角度を規制するストッパー４ａ、４ｂ及び５ａ、５ｂを取り付ける。【００１２】  前フレーム２の両端には足乗せ台２ａ、２ｂを形成する。前フレーム２とハンドル１はハンドルフレーム３でつなげる。メインフレーム８にはシート７を取り付ける。後フレーム９はメインフレーム８に固定されており、後フレーム９の左右両端に一対の後キャスター１０を取り付ける。【００１３】  メインフレーム８と前フレーム２はステアリングピボット５を介して、ハンドル１が車両進行方向前後に回転するよう取り付けられる。【００１４】  次に使用方法を、図面を用いて説明する。静止状態のハンドルと左右前自在キャスターの位置を図２（イ）とする。次に図２（ロ）のごとく、ハンドル１の右側を前に押し出すように回転（方向Ａ）させると右前自在キャスター４が前進方向に転がり、車両が前進する。【００１５】  このとき左前自在キャスター５は逆に後方に押し戻される力が加わり後ろ向きに回転を始めるが、左前キャスターストッパー５ａ、５ｂがあるために左前自在キャスター５はストッパー５ａまたは５ｂに当たって向きを真後ろに回転することができず、その場にとどまる作用が働く。【００１６】  今度は図２（ハ）のごとく、ハンドル１の左側を前に押し出すように回転（方向Ｂ）させると左前自在キャスター５が前進方向に転がり、車両が前進する。このとき右前自在キャスター４は逆に後方に押し戻される力が加わり後ろ向きに回転を始めるが、右前キャスターストッパー４ａ、４ｂがあるために右前自在キャスター４はストッパー４ａまたは４ｂに当たって向きを真後ろに回転することができず、その場にとどまる作用が働く。【００１７】  以上の動作を交互に繰り返すことによって車両が前進する仕組みである。なお、手ではなく足乗せ台２ａ、２ｂに乗せた足でハンドル１を前後方向に動かして車両を前進させることもできる。
【図面の簡単な説明】
【００１８】
【図１】本発明の実施形態を示す四輪車の斜視図
【図２】（イ）、（ロ）および（ハ）は前フレームと左、右自在キャスターの動作説明図
【符号の説明】
【００１９】１    ハンドル
２    前フレーム
２ａ  足乗せ台
２ｂ  足乗せ台
３    ハンドルフレーム
４    右前自在キャスター
４ａ  右前自在キャスターストッパー
４ｂ  右前自在キャスターストッパー
５    左前自在キャスター
５ａ  左前自在キャスターストッパー
５ｂ  左前自在キャスターストッパー
６    ステアリングピボット
７    シート
８    メインフレーム
９    後フレーム
１０  後キャスター
【図１】
2010184696.tif 000003
【図２】
2010184696.tif 000004
(57)【要約】【課題】  本発明は、自転車のハンドルを握る運転姿勢を快適にする、左右グリップ間の挟角調整機構付き自転車ハンドルを提供する。【解決手段】  ハンドルステム上にて俯角調整可能な状態で固定される台座は、２つの独立する軸を有し、それぞれの軸まわりに回転調整できる左右分離したグリップを持つことを特徴とする左右グリップ間の挟角調整機構付き自転車ハンドル。【選択図】図１
2010184697.tif 000002
【特許請求の範囲】
【請求項１】
ハンドルステム上にて、俯角調整可能な状態で固定した台座は、２つの独立する軸を有し、それぞれの軸まわりに回転調整できる左右分離したグリップを持つことを特徴とする左右グリップ間の挟角調整機構付き自転車ハンドル。
【発明の詳細な説明】
【技術分野】
【０００１】  本発明は、自転車のハンドルを握る運転姿勢を快適にする、左右グリップ間の挟角調整機構付き自転車ハンドルに関するものである。
【背景技術】
【０００２】  従来、自転車のハンドルは、高さの調整と俯角の調整が可能であったが、左右グリップ間の挟角は調整することができなかった。
【発明の開示】
【発明が解決しようとする課題】
【０００３】  そのため、ハンドルのグリップを握った運転姿勢が窮屈で長時間の運転がやり難い問題があった。
本発明は、上記の問題点を解決するためのものである。
【課題を解決するための手段】
【０００４】  ハンドルステムにて、俯角調整可能な状態で固定される台座に２つの独立する軸を設ける。
それぞれの軸に左右分離したグリップを回転調整できる様に固定する。
以上を特徴とする左右グリップ間の挟角調整機構付き自転車ハンドルである。
【発明の効果】
【０００５】  左右グリップ間の挟角調整を行うことで、自然な運転姿勢が保てるため、長時間運転しても疲れない。
また、常にブレーキをかけることができる運転姿勢を維持できるので安全である。
【発明を実施するための最良の形態】
【０００６】  ハンドルステム（１）にて、俯角調整のできる様、台座（２）を固定する。
台座（２）は、左グリップ調整軸（３）と右グリップ調整整軸（４）の独立する２つの軸を有する。
左グリップ（５）と右グリップ（６）は、それぞれの軸回りに回転調整と固定ができる構造である。
本発明は、以上のような構造で、これを使用するときは、自転車を運転する人の体格に合わせて、左グリップ（５）を左グリップ調整軸（３）まわりに、右グリップ（６）を右グリップ調整整軸（４）まわりに回転調整し、運転がやり易い位置で左グリップ（５）と右グリップ（６）を台座（２）に固定する。
【図面の簡単な説明】
【０００７】
【図１】  本発明の斜視図である。
【図２】  本発明の分解斜視図である。
【符号の説明】
【０００８】  １  ハンドルステム
２  台座
３  左グリップ調整軸
４  右グリップ調整軸
５  左グリップ
６  右グリップ
【図１】
2010184697.tif 000003
【図２】
2010184697.tif 000004
(57)【要約】【課題】従来のキャスターを利用した人力駆動の４輪車において、キャスターの一定方向回転止め装置は専用部品を製作する必要があり、コスト高である。また、専用部品であるラチェット機構のような構造は手工具などでも採用されており、それらは回転するときに音が出てうるさいものであった。本発明は、これらの問題を解決しようとするもので、お年寄りや子供のように力の弱い人でも容易に操作でき、動作が静かな人力駆動の４輪車を提供する。安いコストで製作が可能であり、また操作感も軽いことからお年寄りや子供、あるいは手足に多少の不自由のある人のリハビリ運動用としての利用も可能である。【解決手段】回転自在の前フレームに左、右前キャスターを備え、ハンドルを前後に動かして前進するキャスターを利用した人力駆動の４輪車において、左、右前キャスターの車軸受けそれぞれにワンウェイベアリングを備えたものである。前フレーム左右両端に足乗せ台を形成したものである。【選択図】図１
2010184695.tif 000002
【特許請求の範囲】
【請求項１】
回転自在の前フレームに左、右前キャスターを備え、ハンドルを前後に動かして前進する４輪車において、左、右前キャスターの回転軸に、車両の前進方向の回転を許容するワンウェイベアリングを備えたことを特徴とするキャスターを利用した人力駆動の４輪車。
【請求項２】
前記前フレーム左右両端に足乗せ台を形成したことを特徴とする請求項１記載のキャスターを利用した人力駆動の４輪車。
【発明の詳細な説明】
【技術分野】
【０００１】  本発明は手もしくは足を利用し前進する４輪車に関する。
【背景技術】
【０００２】  ハンドルを手で前後に動かして、ハンドルが手前になった側のキャスターの一方向（前進方向）の回転を止めることにより前進するハンドカーというものがある（例えば特許文献１参照。）。【０００３】
【特許文献１】実開平２−１４９３９５号公報
【発明の開示】
【発明が解決しようとする課題】
【０００４】  従来のハンドカーの一定方向回転止め装置は専用部品を製作する必要があり、コスト高である。【０００５】  また、このラチェット機構である一定方向回転装置のような構造は手工具などでも採用されており、それらは回転するときに音が出てうるさいものである。さらに手だけで動かすため、操作に腕力を必要とする。
【課題を解決するための手段】
【０００６】  本発明のキャスターを利用した人力駆動の４輪車は、上記目的を達成するために、回転自在の前フレームに左、右前キャスターを備え、ハンドルを前後に動かして前進する４輪車において、左、右前キャスターの回転軸に、車両の前進方向の回転を許容するワンウェイベアリングを備えたものである。【０００７】  また、前記前フレーム左右両端に足乗せ台を形成したものである。
【発明の効果】
【０００８】  本発明は、これらの問題を解決しようとするもので、お年寄りや子供のように力の弱い人でも容易に操作でき、動作が静かな人力駆動の４輪車を提供することを目的とする。【０００９】  安いコストで製作が可能であり、また操作感も軽いことからお年寄りや子供、あるいは手足に多少の不自由のある人のリハビリ運動用としての利用も可能である。
【発明を実施するための最良の形態】
【００１０】  以下に本発明の実施形態を、図面を用いて説明する。前フレーム２の両端に左、右前キャスター４ａと４ｂを取り付ける。【００１１】  前フレーム２とハンドル１はハンドルフレーム３でつなげる。メインフレーム６にはシート７を取り付ける。【００１２】  前フレーム２の両端には足乗せ台２ａ、２ｂを形成する。後フレーム８はメインフレーム６に固定されており、後フレーム８の両端に一対の後キャスター９を取り付ける。【００１３】メインフレーム６と前フレーム２はステアリングピボット５を介して、ハンドルが車両進行方向前後に回転するよう取り付けられる。【００１４】  前キャスター４ａ、４ｂは、そのタイヤ１１の軸受けにワンウェイクラッチ１３を装備し、車両前進方向にはタイヤ１１が回転し、進行方向反対にはタイヤ１１が回転しない構造にする。【００１５】  次に使用方法を図面を用いて説明する。ハンドル１の右側を前に押し出すと右前キャスター４ａが前進方向に動く。このとき左前キャスター４ｂは逆に後方に押し戻される力が加わる。しかしタイヤ１１はワンウェイクラッチによって前進方向にしか回転しないため、左前キャスター４ｂはその場にとどまることになり、車両が前進する。【００１６】  この状態で今度はハンドル左側を前に押し出せば左前キャスター４ｂが前進方向に押し出されるが右前キャスター４ａはその場にとどまり、車両が前進する。【００１７】    この動作を交互に繰り返すことにより車両が前進する仕組みである。なお、手ではなく足乗せ台２ａ、２ｂに乗せた足でハンドル１を前後方向に動かして車両を前進させることもできる。
【図面の簡単な説明】
【００１８】
【図１】本発明の実施形態を示す車両の斜視図
【図２】前輪となるキャスターの断面図
【符号の説明】
【００１９】１    ハンドル
２    前フレーム
２ａ  足乗せ台
２ｂ  足乗せ台
３    ハンドルフレーム
４ａ  右前キャスター
４ｂ  左前キャスター
５    ステアリングピボット
６    メインフレーム
７    シート
８    後フレーム
９    後キャスター
１０  ブラケット
１１  タイヤ
１２  車軸
１３  ワンウェイベアリング
【図１】
2010184695.tif 000003
【図２】
2010184695.tif 000004